(57)【要約】      （修正有）【課題】透視窓の組立工程を簡単にして生産性を向上することができるオーブン機器を提供する。【解決手段】オーブン室を形成する本体を備えるオーブン機器において、本体と結合されてオーブン室を開閉し、オーブン室と接するように設けられ、オーブン室が見られるように貫通された貫通部２１を有する内側カバー２０と、内側カバーの貫通部に装着される透視窓１５と、内側カバーに対して前記透視窓を支持する支持部材３０を有するドアと、を含み、貫通部には、透視窓が安着されるようにオーブン室内側に延長された安着部２３が形成されるオーブン機器。【選択図】図２
2004333113.tif 000002
【特許請求の範囲】
【請求項１】
オーブン室を形成する本体を備えるオーブン機器において、
前記本体と結合されて前記オーブン室を開閉し、前記オーブン室と接するように設けられ、前記オーブン室が見られるように貫通された貫通部を有する内側カバーと、前記内側カバーの貫通部に装着される透視窓と、前記内側カバーに対して前記透視窓を支持する支持部材を有するドアと、を含み、
前記貫通部には、前記透視窓が安着されるように前記オーブン室内側に延長された安着部が形成されることを特徴とするオーブン機器。
【請求項２】
前記安着部は、その断面が“Ｌ”字形状に折曲されていることを特徴とする請求項１に記載のオーブン機器。
【請求項３】
前記支持部材は、前記内側カバーに結合され、前記透視窓に対応する領域が貫通された板材部と、前記板材部の貫通された周りから前記オーブン室内側に延長されて前記安着部に対して前記透視窓を支持する支持台と、を含むことを特徴とする請求項１または２に記載のオーブン機器。
【請求項４】
前記支持台は、前記透視窓の縁部を所定の圧力で加圧することを特徴とする請求項３に記載のオーブン機器。
【請求項５】
前記安着部と前記透視窓との間及び前記支持台と前記透視窓との間の中で少なくとも一つには、耐熱性の弾性部材が設けられることを特徴とする請求項４に記載のオーブン機器。
【請求項６】
前記ドアは、前記支持部材の外側に設けられて外観を形成し、前記透視窓に対応する領域に監視窓が設けられた外側カバーをさらに有することを特徴とする請求項１に記載のオーブン機器。
【請求項７】
前記支持部材は、前記内側カバーと前記外側カバーと結合されることを特徴とする請求項６に記載のオーブン機器。
【発明の詳細な説明】
【技術分野】
【０００１】
本発明は、オーブン機器に係り、特に、透視窓の結合構造を改善したオーブン機器に関する。
【背景技術】
【０００２】
一般に、オーブン機器は、飲食物などの受容後に加熱して解凍したり、煮たりすることができる電子オーブンレンジ及び製パン機のような機器の総称である。
【０００３】
オーブン機器は、主に飲食物などを受容するオーブン室を形成する本体と、本体に結合されてオーブン室を開閉するドアと、飲食物などを加熱するための加熱装置と、を含む。
【０００４】
このような従来のオーブン機器のドアは、オーブン室と接するように設けられた内側カバーと、内側カバーにオーブン室の内部が見られるように貫通された貫通部と、貫通部に装着された透視窓と、を含む。
【０００５】
透視窓は、オーブン室の内部が見られるようにガラスのような材質からなる。
【０００６】
また、このような透視窓を内側カバーに装着する過程は次の通りである。
【０００７】
まず、透視窓を内側カバーの貫通部に位置する。また、透視窓を固定する固定道具のようなジグを利用して貫通部に対して透視窓が動かないように固定させる。その後、透視窓が貫通部に付着されるように、透視窓の縁部と貫通部とを液状のシーラント（Ｓｅａｌａｎｔ）を利用して塗布する。これにより、透視窓を内側カバーに装着することができる。
【０００８】
しかし、このような従来のオーブン機器のドアは、内側カバーに透視窓を装着する時に内側カバーの貫通部に対して透視窓が動かないように固定させる固定用ジグを使用しなければならない。また、内側カバーの貫通部に透視窓を装着するため、液状のシーラントを使用する時に、シーラントの凝固時間が長くかかって組立工程が長くなり、生産性が低下されるという問題がある。
【発明の開示】
【発明が解決しようとする課題】
【０００９】
本発明の目的は、透視窓の組立工程を簡単にして、生産性を向上させることができるオーブン機器を提供することにある。
【課題を解決するための手段】
【００１０】
前記目的を達成するために本発明によるは、オーブン室を形成する本体を備えるオーブン機器において、前記本体と結合されて前記オーブン室を開閉し、前記オーブン室と接するように設けられ、前記オーブン室が見られるように貫通された貫通部を有する内側カバーと、前記内側カバーの貫通部に装着される透視窓と、前記内側カバーに対して前記透視窓を支持する支持部材を有するドアと、を含み、前記貫通部には、前記透視窓が安着されるように前記オーブン室内側に延長された安着部が形成されることを特徴とする。
【００１１】
ここで、前記安着部は、その断面が“Ｌ”字形状に折曲されて形成されることが好ましい。
【００１２】
前記支持部材は、前記内側カバーに結合され、前記透視窓に対応する領域が貫通された板材部と、前記板材部の貫通された周りから前記オーブン室内側に延長されて前記安着部に対して前記透視窓を支持する支持台と、を含むことが好ましい。
【００１３】
前記支持台は、前記透視窓の縁部を所定の圧力で加圧することが好ましい。
【００１４】
前記安着部と前記透視窓との間及び前記支持台と前記透視窓との間の中で少なくとも一つには、耐熱性の弾性部材が設けられることが好ましい。
【００１５】
前記ドアは、前記支持部材の外側に設けられて外観を形成し、前記透視窓に対応する領域に監視窓が設けられた外側カバーをさらに有することが好ましい。
【００１６】
前記支持部材は、前記内側カバーと前記外側カバーと結合されることが好ましい。
【００１７】
オーブン機器の一例として、製パン機は、製パントレイなどが受容できるように形成されたオーブン室及び部品室が形成されている本体と、オーブン室を回動開閉するドアと、オーブン室内に上下方向に所定の離隔間隔をおいて平行に設けられて正逆回転しながら製パン材料が受容された密封バックの両端部が巻き取られる一対の捏ねドラムなどを含み、このような方式を上下捏ね方式であるいう。
【発明の効果】
【００１８】
上述したように、本発明によれば、従来の製パン機のドアの内側カバーに透視窓を装着するために使用された固定ジグ及び液状シーラントを使用しないので、組立時間を減らして生産性を向上することができる。
【発明を実施するための最良の形態】
【００１９】
以下、添付した図面を参照して、本発明に対して詳細に説明する。
【００２０】
図１に示すように、本発明のオーブン機器の一実施形態による製パン機は、オーブン室３及び部品室（図示せず）が形成されている本体１と、本体１の前方に設けられてオーブン室３の前面開口を回動開閉するドア１０と、本体１の前方の一側に設けられて機器の運転状態を表示する運転表示パネル５と、オーブン３内に上下方向に所定の離隔をおいて平行に設けられて正逆回転しながら製パン材料が受容されたミックスバッグ（図示せず）の両端部が巻き取られる一対の捏ねドラム９と、オーブン室３に受容される製パントレイ７と、を含む。
【００２１】
図２及び図３に示すように、本発明による製パン機のドア１０は、オーブン室３と接するように設けられ、オーブン室３が見られるように貫通された貫通部２１が形成された内側カバー２０と、内側カバー２０の貫通部２１に設けることができるように透視窓１５と、内側カバー２０に対して透視窓１５を支持する支持部材３０と、支持部材３０の外側に設けられて外観を形成する外側カバー４０と、を含む。
【００２２】
透視窓１５は、後述する内側カバー２０の貫通部２１に設けられた安着部２３に安着されることができるように四角形状に設けられることが好ましいが、デザインにより円形及び楕円形または他の多角形状に様々なサイズ及び形態を有することができる。また、透視窓５１は、オーブン室３で発生される高温の熱を耐えることができる透明或いは半透明のガラスからなることが好ましいが、高温の熱に耐えることができ、オーブン室３の内部を見ることができるプラスチック類のような透視可能な材質からなることもできる。
【００２３】
内側カバー２０は、ドア１０の内側面を形成し、オーブン室３で発生される高温の熱に耐えることができる材質からなる。また、このような内側カバー２０は、高温の熱に耐えることができる金属板からなることが好ましいが、高温の熱に耐えるプラスチックのような耐熱性を有する材質からなることもできる。
【００２４】
貫通部２１は、内側カバー２０の板面に四角形状で貫通される。しかし、このような貫通部２１は、透視窓１５のサイズや模様にしたがって円形や楕円形或いは他の多角形に形成することもできる。また、貫通部２１には安着部２２が形成される。
【００２５】
図３に示すように、安着部２３は、透視窓１５が安着されるように貫通部２１の縁部からオーブン室３に向いて折曲された後、その折曲された端部が貫通部２１の中心方向にさらに折曲されて形成される。即ち、安着部２３は、その断面が“Ｌ”字形状に折曲されて形成されることが好ましい。
【００２６】
支持部材３０は、内側カバー及び外側カバー４０とネジ３５、４５とのような結合手段により結合され、透視窓１５に対応する領域が貫通された板形状の板材部３１と、板材部３１の貫通された縁部からオーブン室３の内側に折曲されて、安着部２３に安着された透視窓１５の縁部と接触して支持する支持台３３と、その外側面に外側カバー４０に向いて突出されてネジ３５と結合される複数のボス３７と、を含むことが好ましい。
【００２７】
支持台３３は、安着部２３に安着された投資窓１５の縁部と接触して透視窓１５が安着部２３から離脱されないように支持し、透視窓１５が破損されない程度の所定の加圧力で透視窓１５を安着部２３に密着させることが好ましい。支持台３３が透視窓１５を安着部２３に密着させる所定の加圧力は、支持台３３と一体に形成された板材部３１が内側カバー２０にネジ３５のような結合手段により結合される時、このような結合手段の結合力により設けられることができ、また、このような結合手段の結合力を調節することにより、加圧力が調節されることもできる。
【００２８】
外側カバー４０は、ドア１０の外観を形成し、透視窓１５に対応する領域に監視窓４１が形成される。外側カバー４０は、支持部材３０とネジ４５により結合されることが好ましいが、内側カバー２０とネジ３５により結合されることもできる。この場合には、ネジ４５が支持部材３０のボス３７を通じて内側カバー２０に結合されるのでネジ３５が不要になる。
【００２９】
監視窓４１は、透視窓１５を通じてオーブン室３の内部を見ることができるように透視可能な材質から形成されることが好ましい。また、このような監視窓４１は、外側カバー４０のような材質から設けられることができ、外側カバー４０と異なる材質からなることもできる。
【００３０】
このような構成により、本発明による製パン機のドア１０の組立過程は、次の通りである。
【００３１】
まず、内側カバー２０の安着部２３に透視窓１５を安着させる。また、支持部材３０の支持台３３が透視窓１５の縁部と接した状態で透視窓１５が安着部２３に密着されるように支持部材３０を内側カバー２０に結合させる。また、透視窓１５に対応して、外側カバー４０の監視窓４１が位置するように外側カバー４０を支持部材３０に結合させる。
【００３２】
安着部２３と透視窓１５との間及び支持台３３及び透視窓１５との間には、耐熱性の弾性部材（図示せず）が設けられることが好ましい。
【００３３】
このような耐熱性の弾性部材は、オーブン室３から発生される高温の熱に耐えることができるゴムのような材質であることが好ましい。
【００３４】
このような耐熱性の弾性部材が安着部２３と透視窓１５との間及び支持台３３及び透視窓との間に設けられることにより、支持台３３により加圧された透視窓１５の破損を防止することができ、透視窓１５と内側カバー２０の貫通部２１を密閉してオーブン室３で発生する高温の熱が透視窓１５と貫通部２１との間に漏洩されることを防止することができる。
【００３５】
このように、本発明によるオーブン機器は、本体と結合されるオーブン室を開閉し、オーブン室と接するように設けられ、オーブン室を見ることができるように貫通された貫通部を有する内側カバーと、内側カバーの貫通部に装着される透視窓と、内側カバーに対して透視窓を支持する支持部材を有するドアと、を含み、貫通部には透視窓が安着されるようにオーブン室の内側に延長された安着部が形成され、組立を単純化して生産性を向上することができる。
【図面の簡単な説明】
【００３６】
【図１】本発明の実施形態による製パン機のドアが開放された状態の斜視図である。
【図２】図１に示す製パン機のドアの分解斜視図である。
【図３】図１に示す製パン機のドアのIII−III断面図である。
【符号の説明】
【００３７】
１       本体
３       オーブン室
５       運転表示パネル
７       製パントレイ
１０      ドア
１５      透視窓
２０      内側カバー
２１      貫通部
２３      安着部
３０      支持部材
３１      板材部
３３      支持台
３５      ネジ
３７      ボス
４０      外側カバー
４１      監視窓
【図１】
2004333113.tif 000003
【図２】
2004333113.tif 000004
【図３】
2004333113.tif 000005